(57)【特許請求の範囲】
【請求項１】
電気設備に関する複数種類の図面毎に、各図面に含まれる要素の属性が登録された図面データベースと、
前記図面データベースから前記要素の属性を読み出し、各図面間の要素の対応関係を判定する対応関係判定手段と、
一方の図面中の要素を指定した場合に、前記対応関係に基づいて、他方の図面中の要素の表示方法を変更する表示制御手段と、
を備え、
前記表示制御手段は、前記要素としての複数の遮断器が同時操作を制限された関係にあることを識別可能に表示すると共に、遮断器の少なくとも１つの開閉操作に伴い、その他の遮断器が制限を満たすように動作することを表示することを特徴とする図面表示装置。
【請求項２】
請求項１記載の図面表示装置において、前記表示制御手段は、指定された要素の一次側または二次側の接続関係を表示するために、前記指定された要素及びこれに接続された他の要素の表示方法を変更することを特徴とする図面表示装置。
【請求項３】
請求項１記載の図面表示装置において、前記表示制御手段は、前記要素としてのスイッチをオン・オフする指示に応じて、その二次側の通電状態を表示するために、前記スイッチ及びこれに接続された他の要素の表示方法を変更することを特徴とする図面表示装置。
【請求項４】
請求項１から請求項３のいずれか一項記載の図面表示装置において、前記表示方法の変更は、該当する要素の色の変更であることを特徴とする図面表示装置。
【請求項５】
請求項１から請求項４のいずれか一項記載の図面表示装置において、前記表示制御手段は、指定された要素の負荷容量を表示することを特徴とする図面表示装置。
【請求項６】
請求項１から請求項５のいずれか一項記載の図面表示装置において、前記表示制御手段は、前記図面を拡大及び縮小して表示する際に、縮尺に応じて表示する情報を段階的に変更することを特徴とする図面表示装置。
【発明の詳細な説明】
【技術分野】
【０００１】
本発明は、電気設備に関する複数の図面を関連付けて表示する図面表示装置に関する。
【背景技術】
【０００２】
従来より、空港、工場等における電気設備に関する図面は、電気機器の配置を示す平面図、電気機器間の配線を示す回路図等があった。これらの図面は相互に関連しているので、メンテナンス等の場合には複数種類の図面を参照する必要があり、作業が煩雑化していた。このため、例えば下記特許文献１には、工場のレイアウト図を設備の種類毎にレイヤ化し、これを設備の属性情報と関連付けることにより、設備の位置情報と属性情報の管理を容易に行うことができる技術が開示されている。
【０００３】
【特許文献１】特開２００４−１３１９７号
【発明の開示】
【発明が解決しようとする課題】
【０００４】
しかし、上記従来の技術においては、工場のレイアウト図をレイヤ化して、設備の位置情報を容易に検索できるようにしているが、例えば平面図と回路図のように、種類の異なる複数の図面の相互関係を表示するものではなく、複数種類の図面を参照する際の煩雑な作業を緩和することができないという問題があった。
【０００５】
本発明は、上記従来の課題に鑑みなされたものであり、その目的は、複数種類の図面相互関係を容易に確認することができる図面表示装置を提供することにある。
【課題を解決するための手段】
【０００６】
上記目的を達成するために、請求項１記載の図面表示装置の発明は、電気設備に関する複数種類の図面毎に、各図面に含まれる要素の属性が登録された図面データベースと、前記図面データベースから前記要素の属性を読み出し、各図面間の要素の対応関係を判定する対応関係判定手段と、一方の図面中の要素を指定した場合に、前記対応関係に基づいて、他方の図面中の要素の表示方法を変更する表示制御手段と、を備え、前記表示制御手段は、前記要素としての複数の遮断器が同時操作を制限された関係にあることを識別可能に表示すると共に、遮断器の少なくとも１つの開閉操作に伴い、その他の遮断器が制限を満たすように動作することを表示することを特徴とする。
【０００７】
請求項２記載の発明は、請求項１記載の図面表示装置において、前記表示制御手段が、指定された要素の一次側または二次側の接続関係を表示するために、前記指定された要素及びこれに接続された他の要素の表示方法を変更することを特徴とする。
【０００８】
請求項３記載の発明は、請求項１記載の図面表示装置において、前記表示制御手段が、前記要素としてのスイッチをオン・オフする指示に応じて、その二次側の通電状態を表示するために、前記スイッチ及びこれに接続された他の要素の表示方法を変更することを特徴とする。
【０００９】
請求項４記載の発明は、請求項１から請求項３のいずれか一項記載の図面表示装置において、前記表示方法の変更が、該当する要素の色の変更であることを特徴とする。
【００１０】
請求項５記載の発明は、請求項１から請求項４のいずれか一項記載の図面表示装置において、前記表示制御手段が、指定された要素の負荷容量を表示することを特徴とする。
【００１２】
請求項６記載の発明は、請求項１から請求項５のいずれか一項記載の図面表示装置において、前記表示制御手段が、前記図面を拡大及び縮小して表示する際に、縮尺に応じて表示する情報を段階的に変更することを特徴とする。
【発明の効果】
【００１３】
請求項１及び請求項４記載の発明によれば、複数種類の図面相互関係を容易に確認することができるとともに、いずれの要素間にインターロックが設定されているかを容易に把握できる。
【００１４】
請求項２及び請求項３記載の発明によれば、要素の接続関係及び通電状態を容易に把握できる。
【００１５】
請求項５記載の発明によれば、各要素の負荷容量を容易に把握できる。
【００１６】
請求項６記載の発明によれば、いずれの要素間にインターロックが設定されているかを容易に把握できる。
【００１７】
請求項６記載の発明によれば、図面の縮尺に応じて表示する情報を段階的に変更でき、使用目的に応じて適切な縮尺を選択することにより、図面の有用性を向上することができる。
【発明を実施するための最良の形態】
【００１８】
以下、本発明を実施するための最良の形態（以下、実施形態という）を、図面に従って説明する。なお、以下の実施形態では、電気設備に関する図面として平面図及び回路図を処理する例を説明しているが、本発明はこれに限定されるものではない。屋外、屋内の電気設備が複数種類の図面で表されている場合であれば本発明の適用対象となる。
【００１９】
図１には、本発明にかかる図面表示装置を構成するコンピュータのハードウェア構成の例が示される。図１において、図面表示装置は、処理手段１０、入力手段１２、表示手段１４及び記憶手段１６を含んで構成されている。
【００２０】
処理手段１０は、ＣＰＵ（中央処理装置）１８及びメモリ２０等を含んで構成され、ＣＰＵ１８の処理動作を制御するプログラムを実行して後述する各機能を実現する。
【００２１】
入力手段１２は、キーボード、マウス等のポインティングデバイス等を含んで構成され、利用者が動作指示等を入力するために使用する。
【００２２】
表示手段１４は、液晶ディスプレイ（ＬＣＤ）あるいはＣＲＴ（Ｃａｔｈｏｄｅ  Ｒａｙ  Ｔｕｂｅ）等により構成され、電気機器の配置を示す平面図、電気機器間の配線を示す回路図等の電気設備に関する図面を表示する。
【００２３】
記憶手段１６は、ハードディスク装置（ＨＤＤ）等により構成され、上記ＣＰＵ１８の処理動作を制御するプログラムその他の図面表示装置の制御に必要な情報等を格納する。
【００２４】
図２には、本発明にかかる図面表示装置の一実施形態の機能ブロック図が示される。図２において、図面表示装置は、回路図データベース（ＤＢ）２２、平面図データベース（ＤＢ）２４及び制御部２６を含んで構成されており、これらの機能はＣＰＵ１８及びＣＰＵ１８の処理動作を制御するプログラム並びに記憶手段１６により実現される。
【００２５】
回路図データベース２２は、記憶手段１６上に構成され、電気機器間の配線を示す回路図、及び回路図を構成する要素、各要素の属性に関する情報を格納する。ここで、上記要素とは、配電盤、電動機、変圧器、スイッチ、配線等の電気回路を構成する要素である。また、上記属性には、接続先、消費電力等の情報が含まれる。
【００２６】
平面図データベース２４は、記憶手段１６上に構成され、電気機器の配置を示す平面図、及び平面図を構成する要素である配電盤の属性に関する情報を格納する。ここで、上記属性には、接続先、消費電力等の情報が含まれる。
【００２７】
制御部２６は、上記回路図データベース２２及び平面図データベース２４から各要素の属性を読み出し、利用者が入力手段１２から回路図または平面図中の要素を指定したときに、他の図面中の要素の表示方法を変更する。表示の変更は、例えば要素の色を変更する方法等がある。この制御部２６は、対応関係判定部２８、接続関係判定部３０、表示制御部３２及び容量値演算部３４を含んで構成されている。
【００２８】
対応関係判定部２８は、回路図データベース２２及び平面図データベース２４から各要素の属性を読み出し、各図面間の要素の対応関係を判定する。この対応関係は、回路図上または平面図上の各要素（例えば配電盤）が平面図上または回路図上のどの要素にあたるか等の情報である。
【００２９】
接続関係判定部３０は、回路図データベース２２及び平面図データベース２４から各要素の属性を読み出し、各要素が他のどの要素と接続されているかを判定する。また、接続関係判定部３０は、同時操作が制限された遮断器間の関係（インターロック）も上記属性から判定する。
【００３０】
表示制御部３２は、利用者の指示に基づいて上記回路図及び平面図を表示手段１４に表示するとともに、上記対応関係判定部２８の判定結果に基づき、回路図上または平面図上で利用者に指定された要素について、他の図面上（平面図上または回路図上）で対応する要素の色等の表示方法を変更する。これにより、利用者が両図面上で対応する要素を容易に確認することができる。また、上記接続関係判定部３０の判定結果に基づき、回路図上で利用者が指定した要素、例えば配電盤の一次側または二次側の接続状態を表示する。この場合、上記指定された要素及びこれに接続された他の要素の表示方法（例えば色）を変更する。また、上記指定された要素がスイッチである場合に、利用者が入力手段１２を介してスイッチをオン・オフする操作をしたときに、当該操作に応じた二次側の通電状態を表示するために、スイッチ及びこれに接続された他の要素の表示方法を変更する。さらに、表示制御部３２は、同時操作が制限された遮断器間の関係（インターロック）を表示するために、利用者が入力手段１２を介して遮断器を開閉する操作をしたときに、当該遮断器とインターロックの関係にある他の遮断器の表示を変更する。この変更は、例えば色を変更したり、遮断器の閉を表すために、接続状態を意味する線分等の画像を表示すること等により行う。
【００３１】
容量値演算部３４は、ある要素に接続された他の要素の消費電力を演算する。この演算結果は、表示制御部３２が表示手段１４に表示する。
【００３２】
図３（ａ），（ｂ）には、上記回路図データベース２２及び平面図データベース２４が格納する情報の例が示される。図３（ａ）が回路図データベース２２の例であり、図３（ｂ）が平面図データベース２４の例である。
【００３３】
図３（ａ）において、回路図データベース２２には、回路図に含まれる各要素の属性情報として、識別情報（ＩＤ）、要素の名称、要素の一次側及び二次側の接続先、消費電力等の情報が格納されている。また、図３（ｂ）において、平面図データベース２４には、平面図に含まれる各要素の属性情報として、識別情報（ＩＤ）、要素の名称、設置場所等の情報が格納されている。上述した対応関係判定部２８は、上記ＩＤ等に基づいて、回路図及び平面図間の要素の対応関係を判定することができる。また、接続関係判定部３０は、上記接続先に関する情報に基づいて、各要素が他のどの要素と接続されているかを判定することができる。
【００３４】
図４（ａ），（ｂ）には、図面上の要素の対応関係を表示手段１４に表示する場合の説明図が示される。図４（ａ）の回路図において、利用者が入力手段１２のポインティングデバイス等を使用して、いわゆるクリック等の操作により配電盤１−１を指定すると、対応関係判定部２８が、回路図データベース２２及び平面図データベース２４に格納された配電盤１−１の属性を参照して、当該配電盤１−１の回路図と平面図とにおける対応関係を判定する。表示制御部３２は、この対応関係に基づき、平面図における配電盤１−１の表示色を変更（例えば黒色を赤色とする）する等の方法により、回路図で指定された配電盤１−１を表示する。これにより、利用者は、両図の各要素の対応関係を容易に把握することができる。なお、利用者が平面図上で要素を指定した場合にも同様の動作が実行され、平面図上で指定された要素が、回路図上で色の変更等により表示される。
【００３５】
図５には、要素の接続関係を表示手段１４に表示する場合の例が示される。図５において、利用者が入力手段１２のポインティングデバイス等を使用して回路図に示されたＵＰＳ変圧器盤を指定して接続関係の表示を要求すると、接続関係判定部３０が回路図データベース２２を参照し、ＵＰＳ変圧器盤の属性から一次側及び二次側の接続先情報を読み出し、接続関係を判定する。表示制御部３２は、この接続関係に基づき、図５に示された回路図上で、ＵＰＳ変圧器盤の一次側に接続されたき電盤、二次側に接続されたＣＶＣＦ及び他盤並びにこれらとＵＰＳ変圧器盤とを接続するケーブルの色を変更する（赤色表示）等の方法で接続関係を表示する。これにより、回路図上で複雑な接続関係も容易に把握することができる。なお、図５に示された回路図は、ブロック図の形式であるが、図４（ａ）のように回路素子を記載する形式としてもよい。
【００３６】
図６（ａ），（ｂ）には、通電状態を表示手段１４に表示する場合の例が示される。図６（ａ）が通電時であり、図６（ｂ）が非通電時である。なお、本実施形態においても、接続関係判定部３０が回路図データベース２２を参照して各要素の接続関係を判定し、この判定結果に基づいて表示制御部３２が表示手段１４に通電状態を表示する構成となっている。
【００３７】
図６（ａ）において、利用者が入力手段１２のポインティングデバイス等を使用してスイッチ３６を閉（オン）とするように操作すると、スイッチ３６の表示に、スイッチ閉を示す線分Ｓが追加される。ここで、スイッチ３６の開閉の操作は、例えばポインティングデバイスのクリック等の操作により行うことができる。また、このとき、スイッチ３６及びスイッチ３６に接続されている変流器、電流計、配線用遮断器及びそれらの間の配線の色を黒色から赤色等に変更して通電されている要素を表示する。一方、図６（ｂ）において、利用者が入力手段１２のポインティングデバイス等を使用してスイッチ３６を開（オフ）とするように操作すると、スイッチ３６から上記線分Ｓが消去され、スイッチ３６及びスイッチ３６に接続されている変流器、電流計、配線用遮断器及びそれらの間の配線の色を赤色から黒色等に変更して、これらの要素が非通電状態になったことを表示する。これにより、スイッチ３６のオンによりどの要素に通電されるかを容易に把握することができる。
【００３８】
図７（ａ），（ｂ），（ｃ）には、同時操作が制限された遮断器間の関係（インターロック）を表示手段１４に表示する場合の例が示される。本実施形態においても、接続関係判定部３０が回路図データベース２２を参照して遮断器間の関係を判定し、この判定結果に基づいて表示制御部３２が表示手段１４にインターロックを表示する構成となっている。なお、本実施形態では、遮断器３８ａ，３８ｂを同時には閉とすることができない関係をインターロックとして説明しているが、これに限定されるものではない。
【００３９】
図７（ａ）において、左側に表示された遮断器３８ａが閉となっており、閉を示す線分Ｓが表示されている。このとき、遮断器３８ａとインターロックの関係にある遮断器３８ｂは、閉となることができず、開の状態となっている。遮断器３８ａ，３８ｂがインターロックの関係にあることが破線で示されている。
【００４０】
この状態から、利用者が入力手段１２のポインティングデバイス等を使用して遮断器３８ｂを閉とするように操作すると、図７（ｂ）に示されるように、遮断器３８ａが開となり、インターロックの作用として遮断器３８ｂが閉となって、遮断器３８ｂ側に閉を示す線分Ｓが表示される。さらに、遮断器３８ｂを開とするように操作すると、図７（ｃ）に示されるように、遮断器３８ａ，３８ｂがともに開となる。なお、図７（ｃ）とは異なり、再度遮断器３８ａが閉となる構成としてもよい。
【００４１】
以上のようにして、表示制御部３２が表示手段１４にインターロックを表示することにより、いずれの遮断器の間でインターロックが設定されているかを利用者が容易に把握することができる。
【００４２】
図８には、指定された要素の負荷容量の表示例が示される。本実施形態においては、容量値演算部３４が回路図データベース２２を参照し、指定された要素に接続された要素の消費電力を読み出して演算した合計消費電力を、表示制御部３２が表示手段１４に実際負荷値として表示する。なお、本実施形態においても、要素の指定は、利用者が入力手段１２のポインティングデバイス等を使用して行う。また、指定された要素の許容最大負荷容量を最大負荷値として表示する。図８の例では、ＵＳＰ変圧器盤（１−２）が負荷容量の表示対象として指定されており、その負荷容量（最大負荷値と実際負荷値）が、矢印で指し示された表示領域（負荷容量表示）に表示されている。なお、図８に示された回路図は、ブロック図の形式であるが、図４（ａ）のように回路素子を記載する形式としてもよい。
【００４３】
図９から図１１には、所望の図面を拡大及び縮小して表示する場合の例が示される。本実施形態では、利用者が入力手段１２のポインティングデバイス等を使用して所望の図面を指定した上で、縮尺の変更を指示したときに、表示制御部３２が表示手段１４に表示する図面の縮尺を指示に応じて制御する。この場合、表示制御部３２は、縮尺に応じて表示する情報を段階的に変更する。なお、縮尺の変更の指示方法は特に限定されないが、例えば画面にスクロールバーを表示し、これに対してポインティングデバイスによりいわゆるドラッグ操作を行う方法等がある。
【００４４】
図９は、回路図が最小の縮尺で表示手段１４に表示されている例である。ここで、矢印Ａで指定された部分を中心にして縮尺を大きくして行くと、図１０に示された回路図が表示される。図１０で示された回路図では、図９の場合に比べて各要素に接続されている盤外ケーブル４０の数が多く表示されている。これは、予め縮尺の範囲を複数設定し、この縮尺の範囲毎に表示する情報を表示制御部３２が制御することにより実現している。各縮尺範囲で表示する情報は予め決定しておき、記憶手段１６に記憶させておく。なお、矢印Ａで指定された部分は、入力手段１２のポインティングデバイス等により指示することができる。また、その部分を中心として表示する方法は特に限定されないが、例えば表示手段１４の画面上に設定した座標を使用することにより実現することができる。
【００４５】
同様にして、図１０の回路図の縮尺を大きくして行くと、図１１に示された回路図が表示される。図１１で示された回路図では、さらに詳細な情報が表示されており、回路の構成要素の名称が表示されている。なお、図１０に示された回路図は、ブロック図の形式であるが、図４（ａ）のように回路素子を記載する形式としてもよい。
【００４６】
以上のようにして、縮尺の範囲に応じて表示される情報が段階的に変更されるので、回路図の使用目的に応じて適切な縮尺を選択することにより、図面の有用性を向上することができる。なお、図９から図１１の例では、回路図の縮尺を大きくする場合の例を説明したが、縮尺を小さくする場合には、図１１から図９の順序で回路図の縮尺と表示される情報が変更される。また、本実施形態では、回路図の例を説明したが、平面図の場合にも同様に動作する。
【００４７】
図１２には、設備検索を行う場合の表示例の説明図が示される。図１２において、回路図に重ねて検索用の表示領域Ｓが表示されており、利用者は入力手段１２のキーボード等から当該表示領域Ｓの設備種類及び設備ＩＤ欄に所望の情報を入力する。表示制御部３２は、この入力を受け付け、回路図データベース２２を参照して上記入力された情報に一致する設備を選択し、その表示方法（表示色等）を変更する。図１２の例では、ＩＤが１−２であるＵＰＳ変圧器盤が選択される。このＵＰＳ変圧器盤は、図１２で表示領域Ｓから引かれた矢印で指し示された設備であるので、この設備の表示を例えば黒色から赤色に変更する。これにより、検索した設備を容易に確認することができる。なお、図１２に示された回路図は、ブロック図の形式であるが、図４（ａ）のように回路素子を記載する形式としてもよい。また、回路図に代わって平面図を表示してもよい。
【図面の簡単な説明】
【００４８】
【図１】本発明にかかる図面表示装置を構成するコンピュータのハードウェア構成の例を示す図である。
【図２】本発明にかかる図面表示装置の一実施形態の機能ブロック図である。
【図３】回路図データベース及び平面図データベースが格納する情報の例を示す図である。
【図４】図面上の要素の対応関係を表示手段に表示する場合の説明図である。
【図５】要素の接続関係を表示手段に表示する場合の例を示す図である。
【図６】通電状態を表示手段に表示する場合の例を示す図である。
【図７】同時操作が制限された遮断器間の関係を表示手段に表示する場合の例を示す図である。
【図８】指定された要素の負荷容量の表示例を示す図である。
【図９】所望の図面を拡大及び縮小して表示する場合の例を示す図である。
【図１０】所望の図面を拡大及び縮小して表示する場合の例を示す図である。
【図１１】所望の図面を拡大及び縮小して表示する場合の例を示す図である。
【図１２】設備検索を行う場合の表示例の説明図である。
【符号の説明】
【００４９】
１０  処理手段、１２  入力手段、１４  表示手段、１６  記憶手段、１８  ＣＰＵ、２０  メモリ、２２  回路図データベース、２４  平面図データベース、２６  制御部、２８  対応関係判定部、３０  接続関係判定部、３２  表示制御部、３４  容量値演算部、３６  スイッチ、３８ａ，３８ｂ  遮断器、４０  盤外ケーブル。
【図１】
0005159379.tif 000002
【図２】
0005159379.tif 000003
【図３】
0005159379.tif 000004
【図４】
0005159379.tif 000005
【図５】
0005159379.tif 000006
【図６】
0005159379.tif 000007
【図７】
0005159379.tif 000008
【図８】
0005159379.tif 000009
【図９】
0005159379.tif 000010
【図１０】
0005159379.tif 000011
【図１１】
0005159379.tif 000012
【図１２】
0005159379.tif 000013